(57)【要約】【目的】取付作業が簡単に行える建築用パネル取付装置を提供する。【解決手段】パネル表面に凸条部３を一定間隔で条設した建築用パネル１をパネル取付枠２に取り付ける取付装置であって、凸条部３に対応するパネル裏面の凹溝部４に嵌合する基台部６と、基台部６の中央孔部７に基台部６の上端面から所要長さ突出する状態で同心状に配置されると共に、連結片８で基台部６とつながっているスリーブ部９と、からなる合成樹脂の取付具５を備え、取付具５の基台部６を凹溝部４に嵌合すると共に凸条部３に設けたスリーブ部突出孔１０からスリーブ部９を突出させた状態で、スリーブ部９にネジ具１２を挿通してパネル取付枠２にねじ込むことにより、連結片８を切り離してスリーブ部９を基台部６の中央孔部７に没入させ、凸条部３をパネル取付枠２に締結する。【選択図】        図５
2005068663.tif 000002
【特許請求の範囲】
【請求項１】
パネル表面に凸条部を所定間隔で条設した建築用パネルをパネル取付枠に取り付ける建築用パネル取付装置であって、
前記凸条部に対応するパネル裏面の凹溝部の深さと同じ高さを有し、その凹溝部に嵌合する基台部と、基台部の中央部を貫通する中央孔部に基台部の上端面から所要長さ突出する状態で同心状に配置されると共に、中央孔部の内周面との間に一体形成された連結片で基台部とつながっているネジ挿通用のスリーブ部と、からなる合成樹脂製の取付具を備え、
前記パネルの取付けにあたり、取付具の基台部をパネルの凹溝部に嵌合すると共に前記凸条部の所要箇所に設けたスリーブ部突出孔からスリーブ部を突出させた状態で、スリーブ部にネジ具を挿通してパネル取付枠にねじ込むことにより、前記連結片を切り離してスリーブ部を基台部の中央孔部に没入させ、パネルの凸条部をパネル取付枠に締結するようにした建築用パネル取付装置。
【請求項２】
前記スリーブ部の外周面上端部には、スリーブ部突出孔の内径より若干径大となるように突出したストッパーであって、基台部を凹溝部に嵌合してスリーブ部をスリーブ部突出孔から突出させた時に前記凸条部の外面に係止するストッパーを設けてなる請求項１に記載の建築用パネル取付装置。
【請求項３】
前記ネジ具はセルフドリリングネジからなる請求項１又は２に記載の建築用パネル取付装置。
【発明の詳細な説明】
【０００１】
【発明の属する技術分野】
本発明は、自転車置場やカーポート等の屋根板、あるいは立体駐車場の外壁板（サイジング板）等の建築用パネルの取付装置に関するものである。
【０００２】
【従来の技術】
図８は、図９に示す自転車置場を設置するにあたって、パネル表面に凸条部３を所定間隔で条設した屋根パネル１を母屋（パネル取付枠）２に取り付けている状態を示す。即ち、従来の建築用パネル取付装置は、公知文献を具体的に挙げることは出来ないが、図８に示すように、例えばリップ付き溝形鋼からなる母屋２の上に屋根パネル１を置き、下端フック部２１ａを母屋２に引っ掛けたフックボルト２１を、屋根パネル１の凸条部３に設けたボルト挿通孔（図示せず）に挿通して上向きに突出させ、この突出させたフックボルト２１の上端突出部にゴムパッキン２２及びワッシャー２３を通した後、ナット２４を螺合して締結し、凸条部３を母屋２に固定するにしていた。尚、図８及び図９において、２５は支柱、２６は支柱２５の上部から一体に延びた梁部で、この梁部２６に母屋２が横架されている。
【０００３】
【発明が解決しようとする課題】
上記従来の取付装置においては、フックボルト２１の下端フック部２１ａを母屋２にしっかり引っ掛けて外れないように締結するため、一人で取付作業を行う場合には、屋根パネル１の上側（表側）と下側（裏側）を何度も確認しながら作業を進めなければならず、作業に手間がかかって作業性が非常に悪いことから、大抵の場合、脚立に乗って屋根上で作業する作業者と、屋根の下側でフックボルト２１の下端フック部２１ａを母屋２に引っ掛けるといった補助作業をしながら、フック部２１ａがしっかり引っ掛かって締結されるかどうかを確認する作業者との少なくとも二人の作業者が必要であった。
【０００４】
本発明は、上記の課題に鑑み、屋根パネルの取付けにあっては、屋根上の一方からだけの作業で簡単容易に建築用パネルの取付けを行える建築用パネル取付装置を提供することを目的とする。
【０００５】
【課題を解決するための手段】
請求項１に係る発明は、パネル表面に凸条部３を所定間隔で条設した建築用パネル１をパネル取付枠２に取り付ける建築用パネル取付装置であって、前記凸条部３に対応するパネル裏面の凹溝部４の深さと同じ高さを有し、その凹溝部４に嵌合する基台部６と、基台部６の中央部を貫通する中央孔部７に基台部６の上端面から所要長さ突出する状態で同心状に配置されると共に、中央孔部７の内周面との間に一体形成された連結片８で基台部６とつながっているネジ挿通用のスリーブ部９と、からなる合成樹脂の取付具５を備え、前記パネル１の取付けにあたり、取付具５の基台部６をパネル１の凹溝部４に嵌合すると共に前記凸条部３の所要箇所に設けたスリーブ部突出孔１０からスリーブ部９を突出させた状態で、スリーブ部９にネジ具１２を挿通してパネル取付枠２にねじ込むことにより、前記連結片８を切り離してスリーブ部９を基台部６の中央孔部７に没入させ、パネル１の凸条部３をパネル取付枠２に締結するようにしたことを特徴とする。
【０００６】
請求項２は、請求項１に記載の建築用パネル取付装置において、前記スリーブ部９の外周面上端部には、スリーブ部突出孔１０の内径より若干径大となるように突出したストッパー１１であって、基台部６を凹溝部４に嵌合してスリーブ部９をスリーブ部突出孔１０から突出させた時に前記凸条部３の外面に係止するストッパー１１又は１１′を設けてなることを特徴とする。
【０００７】
請求項３は、請求項１又は２に記載の建築用パネル取付装置において、前記ネジ具１２はセルフドリリングネジからなることを特徴とする。
【０００８】
【発明の実施の形態】
本発明の好適な実施形態について図面を参照しながら説明する。図１の（ａ）  は本発明に係る屋根パネル取付装置の取付具５を示す正面図、（ｂ）  は平面図、（ｃ）側面図、（ｄ）  は底面図、（ｅ）  は（ｂ）  のイ−イ線断面図、（ｆ）  はストッパーの他の例を示す（ｅ）  と同様な断面図である。図２は取付具５の一部切欠拡大斜視図であり、図３は屋根パネル（建築用パネル）１を示す斜視図である。
【０００９】
屋根パネル（建築用パネル）１は、図３に示すように、表面にパネル長手方向に延びる凸条部３をパネル幅方向所定間隔おきに条設した金属鋼板からなるもので、この屋根パネル１の裏面には凸条部３に対応する凹溝部４を形成している。そして、この屋根パネル１には凸条部３の所定箇所にスリーブ部突出孔１０が設けられる。
【００１０】
取付具５は、図１及び図２から分かるように、屋根パネル１の裏面に形成された凹溝部４の溝深さと同じ高さを有して、その凹溝部４に嵌合する基台部６と、この基台部６の中央部を貫通する中央孔部７に基台部６の上端面６ａから所要長さ突出する状態で同心状に配置されると共に、その中央孔部７の内周面との間に周方向に間隔をおいて一体形成された連結片８により基台部６と繋がっているネジ挿通用の円筒状スリーブ部９と、からなる。
【００１１】
また、基台部６は、屋根パネル１の裏面の凹溝部４に対応する断面形状に形成されると共に、下端面側が開口した中空状に形成されており、その中空部を６ｏで示す。
【００１２】
ネジ挿通用スリーブ部９の外周面上端側所要部には、図４の（ａ）  に示すように基台部６を屋根パネル１の凹溝部４に嵌合してスリーブ部９を凸条部３のスリーブ部突出孔１０から突出させる時に、同図の（ｂ）  に示すように凸条部３の外面に係止して、スリーブ部９と共に基台部６を凹溝部４内に保持するためのストッパー１１が設けられている。
【００１３】
上記ストッパー１１は、スリーブ部突出孔１０の内径よりも若干径大となるようにスリーブ部９の外周面に一体形成された環状突起部からなる。尚、このような環状突起部からなるストッパー１１に代えて、図１の（ｆ）  に示すように、スリーブ部９の外周面に上端部に一体形成された凸段部からなるストッパー１１′でもよい。
【００１４】
上記のような構成よりなる取付具５を使用して、図８及び図９に示すような自転車置場の屋根パネル１を母屋（パネル取付枠）２に取り付ける方法を、図４〜図７によって詳述する。尚、屋根パネル１には、図３に示すように、凸条部３の所定箇所に予め工場等でスリーブ部突出孔１０を明けておく。
【００１５】
先ず、図４の（ａ）  及び（ｂ）  に示すように、取付具５の基台部６を屋根パネル１裏面の凹溝部４の所定箇所に嵌合すると共に、スリーブ部９の上端部を凸条部３のスリーブ部突出孔１０から突出させる。この際、スリーブ部９に設けた環状突起部からなるストッパー１１がこれより径小のスリーブ部突出孔１０を抜け出る時にストッパー１１がスリーブ部突出孔１０の外側縁部で凸条部３の外面に当たって「パチン」と言う音がするまで、スリーブ部９を凸条部３のスリーブ部突出孔１０に差し込むようにすればよい。
【００１６】
上記のようにストッパー１１がスリーブ部突出孔１０を通り抜けて凸条部３の外面に当たって「パチン」と言う音がすることで、基台部６が凹溝部４に嵌合してスリーブ部９がスリーブ部突出孔１０から所定長さ突出したことを確認でき、またストッパー１１が凸条部３の外面に当たって係止することにより、基台部６がストッパー１１と共に凹溝部４内に保持されることになる。
【００１７】
上記のように屋根パネル１の凸条部３に設けられたスリーブ部突出孔１０に対応する凹溝部４の位置に取付具５の基台部６を嵌合すると共に、スリーブ部９をそのスリーブ部突出孔１０から突出させたならば、この屋根パネル１を、図５及び図８に示すように水平に配設されている母屋（パネル取付枠）２の上に乗せ、そして各取付具５のスリーブ部９にネジ具としてのセルフドリリングネジ１２を挿入して、リップ付き溝形鋼材からなる母屋２の上フランジ部２ａにねじ込む。尚、セルフドリリングネジ１２には図５に示すように座金１３及びリング状ゴムパッキン１４を挿通させておく。
【００１８】
しかして、セルフドリリングネジ１２を母屋２の上フランジ部２ａにねじ込んで取付具５のスリーブ部９を締め付けてゆくと、その締付力により、基台部６とスリーブ部９とをつないでいる連結片８に剪断力が働いて、この連結片８が剪断され、それによってスリーブ部９は凸条部３の中央孔部７に没入してしまう。
【００１９】
こうして連結片８を剪断してスリーブ部９を中央孔部７に没入させた後、セルフドリリングネジ１２を更にねじ込んで屋根パネル１の凸条部３を締め付けることによって、屋根パネル１を母屋２に取付け固定する。図６は取付具５とセルフドリリングネジ１２とによって屋根パネル１の凸条部３を母屋２上に締め付け固定した状態を示す取付装置の正面断面図であり、図７は同取付装置の側面断面図である。
【００２０】
以上説明したように、この発明に係る屋根パネル取付装置によれば、屋根パネル１の取付作業が屋根上からだけの作業となるから、ネジによる締め付け作業が一人で出来ることになり、また脚立などで何度も昇り降りする必要がなくなり、従って屋根パネル取付作業の作業性が大幅に向上する。
【００２１】
また、取付作業においては、取付具５のスリーブ部９の上端部が屋根パネル１の凸条部３から突出しているので、取付箇所、即ちネジ止め箇所を目で確認することができ、また目で確認し難い時はその凸条部３を手や足で触ることによって確認することができ、従って作業性の一層の向上を図ることができる。また、人目のふれ易い屋根パネル１の下側にセルフドリリングネジ（ネジ具）１２が露出しないので、外観上の体裁、見栄えが良好となる。
【００２２】
以上説明した実施形態では、締結用ネジ具として、母屋（パネル取付枠）２のねじ込み部に下穴を明ける必要のないセルフドリリングネジ１２を使用したが、母屋（パネル取付枠）２に下穴を明けておけば、安価で一般的なタッピングネジを用いることが出来る。
【００２３】
また実施形態では、屋根パネル１を、母屋（パネル取付枠）２に取り付ける場合について説明したが、本発明の建築用パネル取付装置は、屋根パネル１に限らず、外壁パネル（サイジングボード）の取付装置についても適用可能である。
【００２４】
【発明の効果】
請求項１に係る発明によれば、建築用パネルの取付作業を、屋根パネルの場合には屋根上からの作業だけで、屋根下からの作業が不要となり、また外壁パネルにはパネルの外側からの作業だけで、パネル内側からの作業が不要となるから、ネジ具による締結作業が一人で行え、また脚立等によって何度も昇り降りする必要がなく、従ってパネル取付作業の作業性を大幅に向上させることが出来る。
【００２５】
また取付作業に際してネジ具による締結作業前は、取付具のスリーブ部の上端部がパネルの凸条部から突出しているので、取付箇所、即ちネジ止め箇所を目で確認することができ、また目で確認し難い時はその凸条部を手や足で触ることによって確認することができ、従って作業性の一層の向上を図ることができる。
【００２６】
請求項２に係る発明によれば、ストッパーがパネルの凸条部の外面に係止することによって、凹溝部に嵌合した基台部をスリーブ部と共に凹溝部に保持することができ、従って取付具を地上で予めパネルに取り付けておくことができる。
【００２７】
請求項３に係る発明によれば、ネジ具としてセルフドリリングネジを使用した場合には、パネル取付枠に一々下穴を明ける必要がなく、それだけ取付作業が簡単となる。
【図面の簡単な説明】
【図１】（ａ）  は本発明に係る屋根パネル取付装置の取付具を示す正面図、  （ｂ）  は平面図、（ｃ）  側面図、（ｄ）  は底面図、（ｅ）  は（ｂ）  のイ−イ線断面図であり、（ｆ）  はストッパーの他の例を示す（ｅ）  と同様な断面図である。
【図２】取付具の一部切欠拡大斜視図である。
【図３】屋根パネル（建築用パネル）を示す斜視図である。
【図４】（ａ）  及び（ｂ）  は屋根パネルの凹溝部に取付具を取り付けている状態を示す断面図である。
【図５】屋根パネルの凹溝部に取付具を取り付けて凸条部のスリーブ部突出孔から突出させたスリーブ部にセルフドリリングネジを挿入する状態を示す断面図である。
【図６】取付具とセルフドリリングネジとによって屋根パネルの凸条部を母屋上に締め付け固定した状態を示す取付装置の正面断面図である。
【図７】同上の取付装置の側面断面図である。
【図８】従来の屋根パネル取付装置の施工例を示す説明斜視図である。
【図９】自転車置場を示す斜視図である。
【符号の説明】
１                屋根パネル（建築用パネル）
２                母屋（パネル取付枠）
３                凸条部
４                凹溝部
５                取付具
６                基台部
７                中央孔部
８                連結片
９                スリーブ部
１０              スリーブ部突出孔
１１，１１′      ストッパー
１２              セルフドリリングネジ（ネジ具）
【図１】
2005068663.tif 000003
【図２】
2005068663.tif 000004
【図３】
2005068663.tif 000005
【図４】
2005068663.tif 000006
【図５】
2005068663.tif 000007
【図６】
2005068663.tif 000008
【図７】
2005068663.tif 000009
【図８】
2005068663.tif 000010
【図９】
2005068663.tif 000011